(57)【要約】      （修正有）【課題】電力供給システムを提供する。【解決手段】電力入力チャンネル１２は、電源から交流電流１４を受信し、ＡＣ／ＤＣ変換器１６は交流電流を変換器出力部２０において直流電流１８に変換し、１つまたは複数の制御器回路２２は変換器出力部に接続されており、所望の時間２８の間に供給される所望の電力レベル２６を示す信号２４を制御する。シリコン制御整流器３２は、電力入力チャンネルに接続されており、信号に比例してＳＣＲ出力チャンネル３６に対するＳＣＲ出力電圧３４を制御する。変圧器３８は、一次側４０からのＳＣＲ出力電圧を二次側４２の二次電圧４４に下げる。１対の出力リード線４６は、二次側の極に接続されている。はんだ接合部は、１対の出力リード線間に配置されている。制御器回路は、所望の電力レベル２６および所望の時間２８に基づいて、はんだ接合部を溶融するために必要とされるシリコン制御整流器に印加される信号を決定する。【選択図】図１
2020032460.tif 000002
【特許請求の範囲】
【請求項１】
電源から交流電流（１４）を受信する電力入力チャンネル（１２）と、
前記電力入力チャンネル（１２）と電気通信し、前記交流電流（１４）の一部を変換器出力部（２０）において直流電流（１８）に変換するＡＣ／ＤＣ変換器（１６）と、
前記変換器出力部（２０）と電気通信し、所望の時間（２８）の間に供給される所望の電力レベル（２６）を示す信号（２４）を制御する１つまたは複数の制御器回路（２２）と、
前記電力入力チャンネル（１２）、前記変換器出力部（２０）、および前記信号（２４）と電気通信し、前記信号（２４）に比例してＳＣＲ出力チャンネル（３６）に対するＳＣＲ出力電圧（３４）を制御するシリコン制御整流器（３２）と、
一次側（４０）および二次側（４２）を有し、前記一次側（４０）が前記ＳＣＲ出力チャンネル（３６）と電気通信する変圧器（３８）であって、前記一次側（４０）からの前記ＳＣＲ出力電圧（３４）を前記二次側（４２）の二次電圧（４４）に下げる変圧器（３８）と、
前記変圧器（３８）の前記二次側（４２）の極と電気通信する１対の出力リード線（４６）であって、前記１対の出力リード線（４６）間に配置されたはんだ接合部に前記二次電圧（４４）を印加するように構成された、１対の出力リード線（４６）と、を含み、
前記１つまたは複数の制御器回路（２２）は、前記所望の電力レベル（２６）および前記所望の時間（２８）に基づいて、前記はんだ接合部を溶融するために必要とされる前記シリコン制御整流器（３２）に印加される前記信号（２４）を決定し、それにより前記１対の出力リード線（４６）間に配置された前記はんだ接合部を溶融する、抵抗はんだ付けシステム（１０）。
【請求項２】
前記信号（２４）は電流信号（２４）である、請求項１に記載のシステム（１０）。
【請求項３】
前記信号（２４）は電圧信号（２４）である、請求項１に記載のシステム（１０）。
【請求項４】
前記シリコン制御整流器（３２）は、前記１つまたは複数の制御器回路（２２）と電気通信する電圧出力信号（５４）および電流出力信号（５６）をさらに含み、前記電圧出力信号（５４）および前記電流出力信号（５６）は、前記変圧器（３８）の前記一次側（４０）への総供給電力（５８）を示し、それにより前記１つまたは複数の制御器回路（２２）は、前記電圧出力信号（５４）および前記電流出力信号（５６）に基づいて前記１対の出力リード線（４６）への前記総供給電力（５８）を決定する、請求項１に記載のシステム（１０）。
【請求項５】
前記電圧出力信号（５４）および前記電流出力信号（５６）は、前記１つまたは複数の制御器回路（２２）のメモリ（３０）に保存される、請求項４に記載のシステム（１０）。
【請求項６】
表示装置（６０）をさらに含み、前記電圧出力信号（５４）および前記電流出力信号（５６）は、前記表示装置（６０）に表示される、請求項４に記載のシステム（１０）。
【請求項７】
前記１つまたは複数の制御器回路（２２）は、前記所望の時間（２８）に依存することなく前記所望の電力レベル（２６）を制御する、請求項１に記載のシステム（１０）。
【請求項８】
前記１つまたは複数の制御器回路（２２）は、前記所望の電力レベル（２６）に依存することなく前記所望の時間（２８）を制御する、請求項１に記載のシステム（１０）。
【請求項９】
前記所望の電力レベル（２６）は、線形関数（４８）によって特徴づけられる、請求項１に記載のシステム（１０）。
【請求項１０】
前記線形関数（４８）は、区分線形関数（５０）によってさらに特徴づけられる、請求項９に記載のシステム（１０）。
【請求項１１】
前記所望の電力レベル（２６）は、多項式関数（５２）によって特徴づけられる、請求項１に記載のシステム（１０）。
【請求項１２】
電力入力チャンネル（１２）により電源から交流電流（１４）を受信する（１０２）ステップと、
前記電力入力チャンネル（１２）と電気通信するＡＣ／ＤＣ変換器（１６）により前記交流電流（１４）の一部を変換器出力部（２０）において直流電流（１８）に変換する（１０４）ステップと、
前記変換器出力部（２０）と電気通信する１つまたは複数の制御器回路（２２）により所望の時間（２８）の間に供給される所望の電力レベル（２６）を示す信号（２４）を制御する（１０６）ステップと、
前記電力入力チャンネル（１２）、前記変換器出力部（２０）、および前記信号（２４）と電気通信するシリコン制御整流器（３２）により、前記信号（２４）に比例してＳＣＲ出力チャンネル（３６）に対するＳＣＲ出力電圧（３４）を制御する（１０８）ステップと、
一次側（４０）および二次側（４２）を有し、前記一次側（４０）が前記ＳＣＲ出力チャンネル（３６）と電気通信する変圧器（３８）により、前記一次側（４０）からの前記ＳＣＲ出力電圧（３４）を前記二次側（４２）の二次電圧（４４）に下げる（１１０）ステップと、
前記変圧器（３８）の前記二次側（４２）の極と電気通信する１対の出力リード線（４６）により、前記１対の出力リード線（４６）間に配置されたはんだ接合部に前記二次電圧（４４）を印加する（１１２）ステップと、
前記１つまたは複数の制御器回路（２２）により、前記所望の電力レベル（２６）および前記所望の時間（２８）に基づいて、前記はんだ接合部を溶融するために必要とされる前記シリコン制御整流器（３２）に印加される前記信号（２４）を決定し（１１４）、それにより前記１対の出力リード線（４６）間に配置された前記はんだ接合部を溶融する（１１６）ステップと、を含む、抵抗はんだ付けシステム（１０）を操作する方法（１００）。
【請求項１３】
前記信号（２４）は、電流信号（２４）である、請求項１２に記載の方法（１００）。
【請求項１４】
前記信号（２４）は、電圧信号（２４）である、請求項１２に記載の方法（１００）。
【請求項１５】
前記シリコン制御整流器（３２）は、前記１つまたは複数の制御器回路（２２）と電気通信する電圧出力信号（５４）および電流出力信号（５６）をさらに含み、前記電圧出力信号（５４）および前記電流出力信号（５６）は、前記変圧器（３８）の前記一次側（４０）への総供給電力（５８）を示し、前記１つまたは複数の制御器回路（２２）により、前記電圧出力信号（５４）および前記電流出力信号（５６）に基づいて前記１対の出力リード線（４６）への前記総供給電力（５８）を決定するステップ（１０２）をさらに含む、請求項１２に記載の方法（１００）。
【請求項１６】
前記電圧出力信号（５４）および前記電流出力信号（５６）を前記１つまたは複数の制御器回路（２２）のメモリ（３０）に保存するステップ（１０２）をさらに含む、請求項１５に記載の方法（１００）。
【請求項１７】
前記システム（１０）は表示装置（６０）をさらに含み、前記表示装置（６０）上に前記電圧出力信号（５４）および前記電流出力信号（５６）を表示するステップ（１０２）をさらに含む、請求項１５に記載の方法（１００）。
【請求項１８】
前記１つまたは複数の制御器回路（２２）は、前記所望の時間（２８）に依存することなく前記所望の電力レベル（２６）を制御する、請求項１２に記載の方法（１００）。
【請求項１９】
前記１つまたは複数の制御器回路（２２）は、前記所望の電力レベル（２６）に依存することなく前記所望の時間（２８）を制御する、請求項１２に記載の方法（１００）。
【請求項２０】
前記所望の電力レベル（２６）は、線形関数（４８）によって特徴づけられる、請求項１２に記載の方法（１００）。
【請求項２１】
前記線形関数（４８）は、区分線形関数（５０）によってさらに特徴づけられる、請求項２０に記載の方法（１００）。
【請求項２２】
前記所望の電力レベル（２６）は、多項式関数（５２）によって特徴づけられる、請求項１２に記載の方法（１００）。
【発明の詳細な説明】
【技術分野】
【０００１】
関連出願の相互参照
[0001]本出願は、２０１８年６月２０日に出願された米国特許出願第１６／０１２，９１９号の優先権を主張し、その開示全体が参照により本明細書に組み込まれる。
【０００２】
[0002]本開示は、一般にはんだ付けシステムに関し、より詳細には、抵抗はんだ付けシステムに関する。
【背景技術】
【０００３】
[0003]抵抗はんだ付け処理を使用して電気構成品にはんだ付けすることが知られている。はんだ接合部の質は、抵抗はんだ付け処理中に印加されたエネルギーの総量に影響される。
【発明の概要】
【０００４】
[0004]本開示は、電力入力チャンネル、ＡＣ／ＤＣ変換器、１つまたは複数の制御器回路、シリコン制御整流器、変圧器、および１対の出力リード線を含む抵抗はんだ付けシステムを提供することによって上記の問題を解決することを提案する。電力入力チャンネルは、電源から交流電流を受信する。ＡＣ／ＤＣ変換器は、電力入力チャンネルと電気通信する。ＡＣ／ＤＣ変換器は、交流電流の一部を変換器出力部において直流電流に変換する。１つまたは複数の制御器回路は、変換器出力部と電気通信する。１つまたは複数の制御器回路は、所望の時間の間に供給される所望の電力レベルを示す信号を制御する。シリコン制御整流器（ＳＣＲ：ｓｉｌｉｃｏｎ−ｃｏｎｔｒｏｌｌｅｄ−ｒｅｃｔｉｆｉｅｒ）は、電力入力チャンネル、変換器出力部および信号と電気通信する。ＳＣＲは、信号に比例して、ＳＣＲ出力チャンネルに対するＳＣＲ出力電圧を制御する。変圧器は、一次側および二次側を有する。一次側は、ＳＣＲ出力チャンネルと電気通信する。変圧器は、一次側からのＳＣＲ出力電圧を二次側の二次電圧に下げる。１対の出力リード線は、変圧器の二次側の極と電気通信する。１対の出力リード線は、１対の出力リード線間に配置されたはんだ接合部に二次電圧を印加するように構成される。１つまたは複数の制御器回路は、所望の電力レベルおよび所望の時間に基づいて、はんだ接合部を溶融するのに必要とされるＳＣＲに印加される信号を決定し、それにより１対の出力リード線間に配置されたはんだ接合部を溶融する。
【０００５】
[0005]本発明の他の有利な特徴によれば、
−  信号は電流信号である；
−  信号は電圧信号である；
−  シリコン制御整流器は、１つまたは複数の制御器回路と電気通信する電圧出力信号および電流出力信号をさらに含み、電圧出力信号および電流出力信号は、変圧器の一次側への総供給電力を示し、それにより１つまたは複数の制御器回路は、電圧出力信号および電流出力信号に基づいて１対の出力リード線への総供給電力を決定する；
−  電圧出力信号および電流出力信号は、１つまたは複数の制御器回路のメモリに保存される；
−  システムは表示装置をさらに含み、電圧出力信号および電流出力信号は表示装置に表示される；
−  １つまたは複数の制御器回路は、所望の時間に依存することなく所望の電力レベルを制御する；
−  １つまたは複数の制御器回路は、所望の電力レベルに依存することなく所望の時間を制御する；
−  所望の電力レベルは、線形関数によって特徴づけられる；
−  線形関数は、区分線形関数によってさらに特徴づけられる；
−  所望の電力レベルは、多項式関数によって特徴づけられる。
【０００６】
[0006]本発明はまた、抵抗はんだ付けシステムの操作方法を提案し、上記方法は、次のステップを含む。
ａ）電力入力チャンネルにより電源からの交流電流を受信するステップ；
ｂ）電力入力チャンネルと電気通信するＡＣ／ＤＣ変換器により、交流電流の一部を変換器出力部において直流電流に変換するステップ；
ｃ）変換器出力部と電気通信する１つまたは複数の制御器回路により、所望の時間の間に供給される所望の電力レベルを示す信号を制御するステップ；
ｄ）電力入力チャンネル、変換器出力部および信号と電気通信するシリコン制御整流器により、信号に比例してＳＣＲ出力チャンネルに対するＳＣＲ出力電圧を制御するステップ；
ｅ）一次側および二次側を有し、一次側がＳＣＲ出力チャンネルと電気通信する変圧器により、一次側からのＳＣＲ出力電圧を二次側の二次電圧に下げるステップ；
ｆ）変圧器の二次側の極と電気通信する１対の出力リード線により、１対の出力リード線間に配置されたはんだ接合部に二次電圧を印加するステップ；および、
ｇ）１つまたは複数の制御器回路により、所望の電力レベルおよび所望の時間に基づいて、はんだ接合部を溶融するのに必要とされるシリコン制御整流器に印加される信号を決定し、それにより１対の出力リード線間に配置されたはんだ接合部を溶融するステップ。
【０００７】
[0007]好ましくは、方法は次のことをさらに含む。
−  信号は、電流信号である；
−  信号は、電圧信号である；
−  シリコン制御整流器は、１つまたは複数の制御器回路と電気通信する電圧出力信号および電流出力信号をさらに含み、電圧出力信号および電流出力信号は、変圧器の一次側への総供給電力を示し、１つまたは複数の制御器回路により、電圧出力信号および電流出力信号に基づいて１対の出力リード線への総供給電力を決定するステップをさらに含む；
−  １つまたは複数の制御器回路は、所望の時間に依存することなく所望の電力レベルを制御する；
−  １つまたは複数の制御器回路は、所望の電力レベルに依存することなく所望の時間を制御する；
−  所望の電力レベルは、線形関数によって特徴づけられる；
−  線形関数は、区分線形関数によってさらに特徴づけられる；
−  所望の電力レベルは多項式関数によって特徴づけられる。
【０００８】
[0008]好ましくは、方法は、次のステップをさらに含む。
ｈ）電圧出力信号および電流出力信号を１つまたは複数の制御器回路のメモリに保存するステップ。
【０００９】
[0009]好ましくは、方法は、次のステップをさらに含む。
ｉ）電圧出力信号および電流出力信号を表示装置に表示するステップ。
[0010]本発明はここで、添付の図面を参照した例によって以下のように説明される。
【図面の簡単な説明】
【００１０】
【図１】[0011]一実施形態に従った抵抗はんだ付けシステムの概略図である。
【図２】[0012]図２Ａは、一実施形態に従った図１の抵抗はんだ付けシステムによる経時的供給電力を示したグラフである。[0013]図２Ｂは、一実施形態に従った図１の抵抗はんだ付けシステムによる、経時的供給電力を示した別のプロット図である。[0014]図２Ｃは、一実施形態に従った図１の抵抗はんだ付けシステムによる、経時的供給電力を示したさらに別のプロット図である。
【図３】[0015]一実施形態に従った図１の抵抗はんだ付けシステムの制御器回路の概略図である。
【図４】[0016]異なる実施形態に従った図１の抵抗はんだ付けシステムの別の制御器回路の概略図である。
【図５】[0017]別の実施形態に従った図１の抵抗はんだ付けシステムの操作方法を示したフローチャートである。
【発明を実施するための形態】
【００１１】
[0018]ここで実施形態を詳細に参照するが、その例は添付の図面に示される。以下の詳細な説明では、記載された様々な実施形態について十分な理解がもたらされるよう、多数の具体的な詳細が示される。しかしながら、通常の知識を有する当業者には、これらの具体的な詳細なしに、記載された様々な実施形態を実施し得ることは明らかであろう。他の場合には、周知の方法、手順、構成品、回路およびネットワークは、実施形態の態様をいたずらに不明瞭にしないよう、詳細には説明されていない。
【００１２】
[0019]図１は、抵抗はんだ付けシステム１０、以下においてシステム１０、を示す。本明細書でより詳細に説明されるように、システム１０は、はんだ接合部を溶融するために、はんだ接合部（図示せず）に供給される電力を所定の時間制御するので、システム１０は有益である。システム１０は、電源（例えば、送電網に接続された電源コンセント、図示せず）から交流電流１４を受信する電力入力チャンネル１２を含む。電源は、どんな電源でもよく、図１で示された例においては１２０ボルトのＡＣ（ＡＣ１２０Ｖ）電源である。
【００１３】
[0020]システム１０は、電力入力チャンネル１２と電気通信するＡＣ／ＤＣ変換器１６（ＡＣ／ＤＣ変換器１６）も含む。ＡＣ／ＤＣ変換器１６は、交流電流１４の一部を変換器出力部２０において直流電流１８に変換する。ＡＣ／ＤＣ変換器１６は、どんなタイプのＡＣ／ＤＣ変換器でもよく、図１に示された例においてはＤＣ約２４Ｖの出力電圧を生じる。
【００１４】
[0021]システム１０は、変換器出力部２０と電気通信する１つまたは複数の制御器回路２２も含む。１つまたは複数の制御器回路２２は、所望の時間２８の間に供給される所望の電力レベル２６を示す信号２４を制御する。図１に示された例において、信号２４は、０ｍＡから２０ｍＡの範囲の電流信号である。別の実施形態（図示せず）において、信号２４は、電圧信号である。１つまたは複数の制御器回路２２は、当業者には明白であるように、データ処理のために、マイクロプロセッサのようなプロセッサ（図示せず）または特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）を含むアナログおよび／またはデジタル制御回路のような他の制御回路を含んでもよい。１つまたは複数の制御器回路２２は、１つまたは複数のルーチン、しきい値、および取り込まれたデータを保存するための電気的に消去可能なプログラマブル読み取り専用メモリ（ＥＥＰＲＯＭ：ｅｌｅｃｔｒｉｃａｌｌｙ  ｅｒａｓａｂｌｅ  ｐｒｏｇｒａｍｍａｂｌｅ  ｒｅａｄ−ｏｎｌｙ  ｍｅｍｏｒｙ）のような不揮発性メモリを含むメモリ３０を含む。１つまたは複数のルーチンは、上述のように、信号２４を制御するためのステップを実行するためのプロセッサによって行われてもよい。１つまたは複数の制御器回路２２は、システム１０全体に分散され、ワイヤハーネス（特に図示せず）によって互いに通信してもよく、または共通の筐体に収容されてもよい。理解されるように、１つまたは複数の制御器回路２２は、別々の回路、同一の回路、互いのサブシステム、またはこれらの任意の組合せであってもよい。また理解されるように、１つまたは複数の制御器回路２２によって実行される機能は、それぞれ個々の制御器回路２２によって遂行されてもよく、または、それらの間で分散されてもよい（例えば、負荷分散）。
【００１５】
[0022]システム１０は、電力入力チャンネル１２と電気通信するシリコン制御整流器３２（ＳＣＲ３２）、変換器出力部２０、および信号２４もまた含む。ＳＣＲ３２は、ＳＣＲ出力チャンネル３６に対するＳＣＲ出力電圧３４を制御するが、ここでＳＣＲ出力電圧３４は信号２４に比例する。ＳＣＲ３２は、印加に適したどんな位相角操作ＳＣＲ３２でもよい。あるそのようなＳＣＲ３２は、Ｃｈａｎｈａｓｓｅｎ、Ｍｉｎｎｅｓｏｔａ、ＵＳＡのＣｏｎｔｒｏｌ  Ｃｏｎｃｅｐｔｓ，Ｉｎｃ．によって製造されたＵＦ１ＨＸＴＥ０−０８−ＰＩＲ０Ｚである。図１に示された例においては、ＳＣＲ出力電圧３４は、ＡＣ０ＶからＡＣ１２０Ｖである。
【００１６】
[0023]システム１０は、一次側４０および二次側４２を有する変圧器３８も含む。一次側４０は、上記のように、ＳＣＲ出力チャンネル３６と電気通信し、ＳＣＲ３２から、ＡＣ０ＶからＡＣ１２０Ｖの電位を受信する。変圧器３８は、一次側４０からのＳＣＲ出力電圧３４（例えば、ＡＣ１２０Ｖ）を二次側４２の二次電圧４４に下げる（すなわち、降圧する）。変圧器３８は、ＳＣＲ出力電圧３４を下げるどんな変圧器３８でもよく、図１で示された例においては、ＳＣＲ出力電圧３４をＡＣ０ＶからＡＣ約５Ｖの範囲へ下げる。
【００１７】
[0024]システム１０は、変圧器３８の二次側４２の極と電気通信する１対の出力リード線４６も含む。１対の出力リード線４６は、１対の出力リード線４６間に配置されたはんだ接合部に二次電圧４４を印加するように構成される。１対の出力リード線４６は、はんだ接合部に接触し、好ましくはグラファイトのような炭素系材料で形成された、対応する電極（図示せず）を終端とし得る。
【００１８】
[0025]図２Ａ〜２Ｃは、所望の時間２８の間はんだ接合部に印加された所望の電力レベル２６の例を示すプロット図である。１つまたは複数の制御器回路２２は、所望の電力レベル２６および所望の時間２８に基づいて、はんだ接合部を溶融するために必要とされるＳＣＲ３２に印加される信号２４を決定し、それにより１対の出力リード線４６間に配置されたはんだ接合部を溶融する。はんだ接合部に印加された総エネルギー量はそれぞれのプロット図の屈曲線の下の面積によって示され、図２Ａ〜２Ｃに示された例においては、ワット秒（Ｗ−ｓ）の単位を有することが認識されよう。１つまたは複数の制御器回路２２は、幾何学的寸法、はんだ合金組成物、およびはんだによって接合されている材料を含む、はんだ接合部の特徴に基づいた具体的な傾斜率および／または滞留時間によってプログラムされていてもよい。１つまたは複数の制御器回路２２は、所望の時間２８に依存することなく所望の電力レベル２６を制御する。これは、通常、総エネルギー入力が命令されることが必要で、エネルギーを供給する時間が接点とはんだ接合部との間の電気接続の質に基づいて変化する従来技術の抵抗はんだ付けシステムとは対照的である。システム１０は、システム１０が抵抗はんだ付け処理にさらなる自由度、つまり所望の時間２８を追加するので、従来技術の抵抗はんだ付けシステムに対する改良である。このようにして、１つまたは複数の制御器回路２２は、所望の出力レベル２６に依存することなく所望の時間２８を制御する。図２Ａ〜２Ｂに示されるように、所望の電力レベル２６は線形関数４８および／または区分線形関数５０によって特徴づけられる。図２Ｃに示されるように、所望の電力レベル２６は多項式関数５２によって特徴づけられる。所望の電力レベル２６および所望の時間２８を含むはんだ付けの概要は、ユーザーにより定義されたものであり、上記のようなはんだ接合部の特徴に基づいている。
【００１９】
[0026]図１を再び参照すると、ＳＣＲ３２は、１つまたは複数の制御器回路２２と電気通信する、電圧出力信号５４および電流出力信号５６をさらに含む。電圧出力信号５４および電流出力信号５６は、変圧器３８の一次側４０への総供給電力５８を示す。つまり、電圧出力信号５４および電流出力信号５６は、変圧器３８の一次側４０への総供給電力５８を決定するために１つまたは複数の制御器回路２２によって調整され、両者とも、４ｍＡから２０ｍＡの範囲の電流によって特徴づけられる。１つまたは複数の制御器回路２２は、電圧出力信号５４および電流出力信号５６に基づいて１対の出力リード線４６への総供給電力５８を決定し、変圧器３８および／または配線による何らかの電気効率の損失を考慮に入れることもできる。システム１０は、履歴上の目的で電圧出力信号５４および電流出力信号５６を１つまたは複数の制御器回路２２のメモリ３０に保存し、操作員によってアクセスされ得る。
【００２０】
[0027]システム１０は、ヒューマン・マシン・インターフェース（ＨＭＩ：ｈｕｍａｎ−ｍａｃｈｉｎｅ−ｉｎｔｅｒｆａｃｅ、特に図示せず）の構成品である表示装置６０も含む。電圧出力信号５４および電流出力信号５６は、操作員による観視のために表示装置６０上に表示され、品質管理の目的で使用され得る。
【００２１】
[0028]図３〜図４は、システム１０で使用される１つまたは複数の制御器回路についての詳細を追加的に示す。
[0029]図５は、抵抗はんだ付けシステム１０、以下においてシステム１０、を操作する方法１００についての別の実施形態を示すフローチャートである。
【００２２】
[0030]ステップ１０２、「ＡＣを受信する」は、上述され、かつ図１に示されているように、電力入力チャンネル１２により電源から交流電流１４を受信することを含む。
[0031]ステップ１０４、「ＡＣをＤＣに変換する」は、上述され、かつ図１に示されているように、電力入力チャンネル１２と電気通信するＡＣ／ＤＣ変換器１６（ＡＣ／ＤＣ変換器１６）により交流電流１４の一部を変換器出力部２０において直流電流１８に変換することを含む。
【００２３】
[0032]ステップ１０６、「信号を制御する」は、変換器出力部２０と電気通信する１つまたは複数の制御器回路２２により所望の時間２８の間に供給される所望の電力レベル２６を示す信号２４を制御することを含む。図１に示された例において、信号２４は０ｍＡから２０ｍＡの範囲の電流信号であり、別の実施形態（図示せず）では信号２４は電圧信号である。１つまたは複数の制御器回路２２は、所望の時間２８に依存することなく所望の電力レベル２６を制御し、所望の電力レベル２６に依存することなく所望の時間２８を制御する。
【００２４】
[0033]ステップ１０８、「ＳＣＲ出力電圧を制御する」は、上述のように、シリコン制御整流器３２（ＳＣＲ３２）により信号２４に比例してＳＣＲ出力チャンネル３６に対するＳＣＲ出力電圧３４を制御することを含む。図１に示された例においては、ＳＣＲ出力電圧３４は、ＡＣ０ＶからＡＣ１２０Ｖである。ＳＣＲ３２は、上述され、図１に示されているように、変圧器３８の一次側４０への総供給電力５８を示す電圧出力信号５４および電流出力信号５６をさらに含む。
【００２５】
[0034]ステップ１１０、「ＳＣＲ出力電圧を下げる」は、上述のように、変圧器３８により、一次側４０からのＳＣＲ出力電圧３４を変圧器３８の二次側４２の二次電圧４４に下げることを含む。変圧器３８は、ＳＣＲ出力電圧３４を下げるどんな変圧器３８でもよく、好ましくは、上述のように、ＳＣＲ出力電圧３４をＡＣ０ＶからＡＣ約５Ｖの範囲へ下げる。
【００２６】
[0035]ステップ１１２、「二次電圧を印加する」は、変圧器３８の二次側４２の極と電気通信する１対の出力リード線４６により、１対の出力リード線４６間に配置されたはんだ接合部に二次電圧４４を印加することを含む。１対の出力リード線４６は、はんだ接合部に接触し、好ましくはグラファイトのような炭素系材料で形成された、対応する電極を終端とし得る。
【００２７】
[0036]ステップ１１４、「信号を決定する」は、１つまたは複数の制御器回路２２により、所望の電力レベル２６および所望の時間２８に基づいて、はんだ接合部を溶融するために必要とされるＳＣＲ３２に印加される信号２４を決定することを含む。図２Ａ〜図２Ｂは、線形関数４８および／または区分線形関数５０によって特徴づけられる所望の電力レベル２６を示す。図２Ｃに示されるように、所望の電力レベル２６は多項式関数５２によって特徴づけられる。変圧器３８の一次側４０への総供給電力５８を示す電圧出力信号５４および電流出力信号５６は、上述のように、１つまたは複数の制御器回路２２のメモリ３０に保存される。電圧出力信号５４および電流出力信号５６は、上述のように、操作員による観視のために表示装置６０上に表示され、品質管理の目的で使用され得る。
【００２８】
[0037]ステップ１１６、「はんだ接合部を溶融する」は、上述のように、１対の出力リード線４６間に配置されたはんだ接合部を二次電圧４４により溶融することを含む。
[0038]このようにして、抵抗はんだ付けシステム１０（システム１０）およびシステム１０を操作する方法１００が提供される。システム１０が所望の時間２８に依存することなく所望の電力レベル２６を制御するので、システム１０は、従来技術の抵抗はんだ付けシステムに対する改良である。
【００２９】
[0039]本発明について、その好適な実施形態という観点から説明がなされたが、これに限定されるものではなく、むしろ以下の特許請求の範囲に示される程度にのみ意図されるものである。「１つまたは複数の」は、１つの要素によって実行される機能、１つ以上の要素によって、例えば分散された仕方で実行される機能、１つの要素によって実行されるいくつかの機能、いくつかの要素によって実行されるいくつかの機能、または上記のいかなる組合せをも含む。第１の（ｆｉｒｓｔ）、第２の（ｓｅｃｏｎｄ）等の用語は、場合によっては、本明細書において、様々な要素を説明するため使用されるが、これらの要素は、これらの用語に限定されるべきではないということも理解されよう。これらの用語は、１つの要素を別の要素と区別するためのみに使用される。例えば、記載された様々な実施形態の範囲を外れることなく、第１の接点は、第２の接点と呼ぶこともできるだろうし、同様に第２の接点は第１の接点と呼ぶこともできるであろう。第１の接点および第２の接点はともに接点であるが、それらは同一の接点ではない。本明細書の記載された様々な実施形態の説明において使用される用語は、特定の実施形態を説明することのみを目的とし、限定することを意図するものではない。記載された様々な実施形態の説明および添付の特許請求の範囲で使用される場合、単数形の「１つの（ａ）」、「１つの（ａｎ）」および「その（ｔｈｅ）」は、文脈がそうでないことを明らかに示すのでなければ、複数形も含むことを意図している。用語「および／または（ａｎｄ／ｏｒ）」は、本明細書で使用される場合、１つまたは複数の関連して挙げられた項目のいずれかおよびすべての可能な組合せを示しかつ包含することもまた理解されよう。用語「含む（ｉｎｃｌｕｄｅｓ）」、「含む（ｉｎｃｌｕｄｉｎｇ）」、「含む（ｃｏｍｐｒｉｓｅｓ）」、および／または「含む（ｃｏｍｐｒｉｓｅｓ）」は、本明細書で使用される場合、述べられた特徴、整数値、ステップ、操作、要素、および／または構成品の存在を特定するが、１つまたは複数の他の特徴、整数値、ステップ、操作、要素、構成品、および／またはそれらの群の存在または追加を排除するものではないということがさらに理解されよう。本明細書で使用されるように、場合により、用語「の場合（ｉｆ）」は、文脈によって、「の際（ｗｈｅｎ）」または「の時（ｕｐｏｎ）」または「決定に応じて（ｉｎ  ｒｅｓｐｏｎｓｅ  ｔｏ  ｄｅｔｅｒｍｉｎｉｎｇ）」または「検出に応じて（ｉｎ  ｒｅｓｐｏｎｓｅ  ｔｏ  ｄｅｔｅｃｔｉｎｇ）」を意味するように解釈される。同様に、「決定された場合（ｉｆ  ｉｔ  ｉｓ  ｄｅｔｅｒｍｉｎｅｄ）」または「［述べられた条件または事象が］検出された場合（ｉｆ  ［ａ  ｓｔａｔｅｄ  ｃｏｎｄｉｔｉｏｎ  ｏｒ  ｅｖｅｎｔ］  ｉｓ  ｄｅｔｅｃｔｅｄ）」という句は、場合により、文脈によって、「決定した時（ｕｐｏｎ  ｄｅｔｅｒｍｉｎｉｎｇ）」または「決定に応じて（ｉｎ  ｒｅｓｐｏｎｓｅ  ｔｏ  ｄｅｔｅｒｍｉｎｉｎｇ）」または「［述べられた条件または事象を］）検出した時（ｕｐｏｎ  ｄｅｔｅｃｔｉｎｇ  ［ｔｈｅ  ｓｔａｔｅｄ  ｃｏｎｄｉｔｉｏｎ  ｏｒ  ｅｖｅｎｔ］）」または「［��べられた条件または事象の］検出に応じて（ｉｎ  ｒｅｓｐｏｎｓｅ  ｔｏ  ｄｅｔｅｃｔｉｎｇ  ［ｔｈｅ  ｓｔａｔｅｄ  ｃｏｎｄｉｔｉｏｎ  ｏｒ  ｅｖｅｎｔ］）」を意味すると解釈される。
【符号の説明】
【００３０】
１０  抵抗はんだ付けシステム
１２  電力入力チャンネル
１４  交流電流
１６  ＡＣ／ＤＣ変換器
１８  直流電流
２０  変換器出力部
２２  制御器回路
２４  信号
２６  所望の電力レベル
２８  所望の時間
３０  メモリ
３２  シリコン制御整流器
３４  ＳＣＲ出力電圧
３６  ＳＣＲ出力チャンネル
３８  変圧器
４０  一次側
４２  二次側
４４  二次電圧
４６  出力リード線
４８  線形関数
５０  区分線形関数
５２  多項式関数
５４  電圧出力信号
５６  電流出力信号
５８  総供給電力
６０  表示装置
１００  方法
【図１】
2020032460.tif 000003
【図２】
2020032460.tif 000004
【図３】
2020032460.tif 000005
【図４】
2020032460.tif 000006
【図５】
2020032460.tif 000007
【外国語明細書】
2020032460000001.pdf